(57)【要約】【課題】商用電源を入力電源とした場合にパワーコンディショナがハングアップした場合に、商用電源の供給および太陽光パネル、蓄電池からの電力供給がなくなり、負荷での電気使用ができなくなることを回避する。【解決手段】太陽光パネル（２０−１、２０−２）が接続されるパワーコンディショナ（１０）と、このパワーコンディショナ（１０）がハングアップしたことを検出する検出回路（５０）と、この検出回路（５０）が前記ＰＣＳがハングアップしたことを検出すると、負荷に商用電源（４０）を接続する出力回路（６０）とを備える。【選択図】  図１
2019205309.tif 000002
【特許請求の範囲】
【請求項１】
太陽光パネルに接続される太陽光パネル接続端子と、
蓄電池に接続される蓄電池接続端子と、
商用電源に接続される商用電源入力端子と、
負荷に交流電力を供給するための交流電力出力端子と、
前記太陽光パネル接続端子に接続された太陽光パネルが出力する電圧と電流を制御する充放電コントローラと、
前記充放電コントローラから出力される直流電流のレベルを変換して前記蓄電池接続端子を介して蓄電池に供給するとともに、前記蓄電池から供給される直流電流のレベルを変換して出力する双方向ＤＣ／ＤＣコンバータと、
前記充放電コントローラおよび双方向ＤＣ／ＤＣコンバータからの直流電流を交流電流に変換して前記交流電力出力端子に供給するインバータと、
前記商用電源入力端子と前記交流電力出力端子との間に設けられたスイッチと、
前記充放電コントローラの出力および前記双方向ＤＣ／ＤＣコンバータの出力の状態に基づいて前記スイッチをオン／オフして、選択的に前記交流電力出力端子に商用電源を供給する制御モジュールと、
を有するパワーコンディショナと、
前記パワーコンディショナがハングアップしたことを検出する検出回路と、
前記検出回路が前記パワーコンディショナがハングアップしたことを検出すると、前記負荷に前記商用電源を接続する出力回路と
を備えた電源システム。
【請求項２】
請求項１に記載された電源システムにおいて、
前記検出回路は、
前記交流電力出力端子から出力される交流出力電圧を監視して、前記交流出力電圧が所定の値を下回ったことを検出する不足電圧継電器である
ことを特徴とする電源システム。
【請求項３】
請求項１または２に記載された電源システムにおいて、
前記出力回路は、
前記交流電力出力端子に一次側巻き線が接続され、前記負荷に二次側巻き線が接続されるトランスと、
前記検出回路が前記パワーコンディショナがハングアップしたことを検出すると、前記トランスの前記二次側巻き線に前記商用電源を接続するリレーと
を備えることを特徴とする電源システム。
【請求項４】
請求項１乃至３のいずれか１つに記載された電源システムにおいて、
前記パワーコンディショナは、
互いに直列に接続された２つの前記インバータを備え、
２つの前記インバータの接続点を前記負荷に供給する交流電力の中点とする
ことを特徴とする電源システム。
【請求項５】
太陽光パネルに接続される太陽光パネル接続端子と、
蓄電池に接続される蓄電池接続端子と、
商用電源に接続される商用電源入力端子と、
負荷に交流電力を供給するための交流電力出力端子と、
前記太陽光パネル接続端子に接続された太陽光パネルが出力する電圧と電流を制御する充放電コントローラと、
前記充放電コントローラから出力される直流電流のレベルを変換して前記蓄電池接続端子を介して蓄電池に供給するとともに、前記蓄電池から供給される直流電流のレベルを変換して出力する双方向ＤＣ／ＤＣコンバータと、
前記充放電コントローラおよび双方向ＤＣ／ＤＣコンバータからの直流電流を交流電流に変換して前記交流電力出力端子に供給するインバータと、
前記商用電源入力端子を介して前記商用電源から供給される交流電流を直流電流に変換して前記双方向ＤＣ／ＤＣコンバータに出力するＡＣ／ＤＣコンバータと、
前記充放電コントローラの出力および前記双方向ＤＣ／ＤＣコンバータの出力の状態に基づいて、選択的に前記商用電源を前記ＡＣ／ＤＣコンバータに供給して前記双方向ＤＣ／ＤＣコンバータを介してバッテリーを充電する制御モジュールと、
を有するパワーコンディショナと、
前記パワーコンディショナが前記バッテリーを充電するバッテリーチャージモードであることを検出する検出回路と、
前記検出回路が前記パワーコンディショナが前記バッテリーを充電するバッテリーチャージモードであることを検出すると、前記負荷に前記商用電源を接続する出力回路と
を備えた電源システム。
【発明の詳細な説明】
【技術分野】
【０００１】
本発明は、太陽光パネルと蓄電池とを備えた電力供給システムに関し、より具体的には、太陽光パネルと、この太陽光パネルおよび商用電源によって充電される蓄電池とを備えた電力供給システムに関する。
【背景技術】
【０００２】
従来より、太陽光パネルと蓄電池とを備え、日中は太陽光パネルにより発電された電力をＤＣ／ＡＣ変換して負荷に供給するとともに、太陽光発電の余った電力や商用電源で蓄電池を充電してその電力を夜間に負荷に供給する電力供給システムが提供されている（例えば、特許文献１、特許文献２）。
【０００３】
太陽光パネルを含む電力供給システムには、太陽光パネルにより発電された電力の一部を商用電源に売電する、いわゆるオングリッドのシステムと、商用電源に売電せずに蓄電池に充電するいわゆるオフグリッドのシステムとがある。このうち、オフグリッドの電力供給システムの一構成例は、図７に示すように、太陽光パネル２０−１、２０−２、蓄電池３０、および商用電源４０と接続されるとともに、トランス６０２を介して、図示しない負荷側の分電盤に電力を供給するパワーコンディショナ（Ｐｏｗｅｒ  Ｃｏｎｄｉｔｉｏｎｉｎｇ  Ｓｙｓｔｅｍ。以下、「ＰＣＳ」という。）１０を備えている。
【０００４】
このＰＣＳ１０は、太陽光パネル２０−１、２０−２に接続される太陽光パネル接続端子１０２−１、１０２−２と、蓄電池３０に接続される蓄電池接続端子１０３と、商用電源４０に接続される商用電源接続端子１０４と、負荷に交流電力を供給するための交流電力出力端子１０５と、太陽光パネル接続端子１０２−１、１０２−２に接続された太陽光パネル２０−１、２０−２が出力する電圧と電流を制御する充放電コントローラ１０６−１、１０６−２と、充放電コントローラ１０６−１、１０６−２から出力される直流電流のレベルを変換して蓄電池接続端子１０３を介して蓄電池３０に供給するとともに、蓄電池３０から供給される直流電流のレベルを変換して出力する双方向ＤＣ／ＤＣコンバータ１０７と、充放電コントローラ１０６−１、１０６−２および双方向ＤＣ／ＤＣコンバータ１０７からの直流電流を交流電流に変換して交流電力出力端子１０５に供給するとともに、商用電源４０から供給される交流電流を直流電流に変換して双方向ＤＣ／ＤＣコンバータ１０７に供給するインバータ／コンバータ１０８と、商用電源入力端子１０４と交流電力出力端子１０５との間に設けられたスイッチ１０９と、充放電コントローラ１０６−１、１０６−２の出力および双方向ＤＣ／ＤＣコンバータ１０７の出力の状態に基づいてスイッチ１０９をオン／オフして、選択的に交流電力出力端子１０５に商用電源を供給する制御モジュール１０１とを備えている。
【０００５】
このような構成を有する電力供給システムは、通常は、スイッチ１０９をオフにして商用電源４０から負荷を切り離し、太陽光パネル２０−１、２０−２で発電した電力をインバータ１０８ｉによって交流に変換して、負荷における消費電力をまかなうことを主な目的とするが、太陽光パネル２０−１、２０−２から電力が供給されない夜間等においては、蓄電池３０から負荷に電力を供給する一方、万一、太陽光パネル２０−１、２０−２や蓄電池３０から十分な電力が供給できない場合でも、スイッチ１０９をオンにすることによって、商用電源４０から負荷に電力を供給することができる。
【先行技術文献】
【特許文献】
【０００６】
【特許文献１】特開２０１７−０５５５６５号公報
【特許文献２】特開２０１４−１８３７１６号公報
【発明の概要】
【発明が解決しようとする課題】
【０００７】
しかしながら、上述したような構成を有する電力供給システム、特にオフグリッドのシステムにおいては、万一、制御モジュール１０１の故障など、ＰＣＳ１０に何らかのトラブルが発生し、ＰＣＳ１０がハングアップして電力供給に関わる制御ができなくなると、太陽光パネル２０−１、２０−２からの発電がなく、蓄電池３０の充電レベルも低い場合には、スイッチ１０９を操作して商用電源４０に切り替えることができず、負荷に電力を供給できなくなるという問題があった。
【０００８】
そこで、本発明は、ＰＣＳがハングアップした場合でも、負荷に電力を供給できるようにすることを目的とする。
【課題を解決するための手段】
【０００９】
上記の目的を達成するために、本発明に係る電力供給システムは、太陽光パネル（２０−１、２０−２）に接続される太陽光パネル接続端子（１０２−１、１０２−２）と、蓄電池（３０）に接続される蓄電池接続端子（１０３）と、商用電源（４０）に接続される商用電源入力端子（１０４）と、負荷に交流電力を供給するための交流電力出力端子（１０５）と、前記太陽光パネル接続端子（１０２−１、１０２−２）に接続された太陽光パネル（２０−１、２０−２）が出力する電圧と電流を制御する充放電コントローラ（１０６−１、１０６−２）と、前記充放電コントローラ（１０６−１、１０６−２）から出力される直流電流のレベルを変換して前記蓄電池接続端子（１０３）を介して蓄電池（３０）に供給するとともに、前記蓄電池（３０）から供給される直流電流のレベルを変換して出力する双方向ＤＣ／ＤＣコンバータ（１０７）と、前記充放電コントローラ（１０６−１、１０６−２）および双方向ＤＣ／ＤＣコンバータ（１０７）からの直流電流を交流電流に変換して前記交流電力出力端子に供給するインバータ（１０８ｉ）と、前記商用電源入力端子（１０４）と前記交流電力出力端子（１０５）との間に設けられたスイッチ（１０９）と、前記充放電コントローラ（１０６−１、１０６−２）の出力および前記双方向ＤＣ／ＤＣコンバータ（１０７）の出力の状態に基づいて前記スイッチ（１０９）をオン／オフして、選択的に前記交流電力出力端子に商用電源を供給する制御モジュール（１０１）と、を有するＰＣＳ（１０）と、前記ＰＣＳ（１０）がハングアップしたことを検出する検出回路（５０）と、前記検出回路（５０）が前記ＰＣＳがハングアップしたことを検出すると、前記負荷に前記商用電源（４０）を接続する出力回路（６０）と、を備えたことを特徴とする。
【００１０】
ここで前記検出回路（５０）は、前記交流電力出力端子（１０５）から出力される交流出力電圧を監視して、前記交流出力電圧が所定の値を下回ったことを検出する不足電圧継電器（５０）から構成することができる。
【００１１】
また、前記出力回路（６０）は、前記交流電力出力端子（１０５）に一次側巻き線が接続され、前記負荷に二次側巻き線が接続されるトランス（６０２）と、前記検出回路（５０）が前記ＰＣＳ（１０）がハングアップしたことを検出すると、前記トランス（６０２）の前記二次側巻き線に前記商用電源（４０）を接続するリレー（６０１）とを備えるようにしてもよい。
【００１２】
また、前記ＰＣＳ（１０）は、互いに直列に接続された２つの前記インバータ（１０８ｉ−１、１０８ｉ−２）を備え、２つの前記インバータの接続点を前記負荷に供給する交流電力の中点（Ｎ）とするようにしてもよい。
【００１３】
また、本発明に係る電力供給システムは、太陽光パネル（２０−１、２０−２）に接続される太陽光パネル接続端子（１０２−１、１０２−２）と、蓄電池（３０）に接続される蓄電池接続端子（１０３）と、商用電源（４０）に接続される商用電源入力端子（１０４）と、負荷に交流電力を供給するための交流電力出力端子（１０５）と、前記太陽光パネル接続端子（１０２−１、１０２−２）に接続された太陽光パネル（２０−１、２０−２）が出力する電圧と電流を制御する充放電コントローラ（１０６−１、１０６−２）と、前記充放電コントローラ（１０６−１、１０６−２）から出力される直流電流のレベルを変換して前記蓄電池接続端子（１０３）を介して蓄電池（３０）に供給するとともに、前記蓄電池（３０）から供給される直流電流のレベルを変換して出力する双方向ＤＣ／ＤＣコンバータ（１０７）と、前記充放電コントローラ（１０６−１、１０６−２）および双方向ＤＣ／ＤＣコンバータ（１０７）からの直流電流を交流電流に変換して前記交流電力出力端子に供給するインバータ（１０８ｉ）と、前記商用電源入力端子（１０４）を介して前記商用電源から供給される交流電流を直流電流に変換して前記双方向ＤＣ／ＤＣコンバータに出力するＡＣ／ＤＣコンバータ（１０８ｃ）と、前記充放電コントローラ（１０６−１、１０６−２）の出力および前記双方向ＤＣ／ＤＣコンバータ（１０７）の出力の状態に基づいて選択的に前記商用電源（４０）を前記ＡＣ／ＤＣコンバータに供給して前記双方向ＤＣ／ＤＣコンバータを介してバッテリーを充電する制御モジュール（１０１）と、を有するＰＣＳ（３００）と、  前記ＰＣＳ（３００）が前記バッテリーを充電するバッテリーチャージモードであることを検出する検出回路（５０ａ）と、前記検出回路（５０ａ）が前記ＰＣＳ（３００）が前記バッテリーを充電するバッテリーチャージモードであることを検出すると、前記負荷に前記商用電源（４０）を接続する出力回路（６０）とを備えたことを特徴とする。
【発明の効果】
【００１４】
本発明によれば、ＰＣＳがハングアップしたことを検出すると、出力回路を介して負荷に商用電源が接続されるので、ＰＣＳがハングアップした場合でも、ユーザー等の操作を必要とせずに、商用電源の電力を負荷に供給することができ、負荷に電力を供給できなくなる事態を回避することができる。すなわち、昼夜を問わず、ＰＣＳがハングアップした際に一切人の手を介さず自動的に商用電源への切り替えを行い、負荷に商用電源を供給することができるので、負荷への電源供給が途絶え停電となってしまう事態を避けることができる。
【図面の簡単な説明】
【００１５】
【図１】図１は、本発明の第１の実施の形態に係る電力供給システムの構成（太陽光発電時）を示す図である。
【図２】図２は、本発明の第１の実施の形態に係る電力供給システムの構成（パススルー時）を示す図である。
【図３】図３は、本発明の第１の実施の形態に係る電力供給システムの構成（ハングアップ時）を示す図である。
【図４】図４は、本発明の第１の実施の形態に係る電力供給システムの変形例を示す図である。
【図５】図５は、本発明の第２の実施の形態に係る電力供給システムの構成を示す図である。
【図６】図６は、本発明の第３の実施の形態に係る電力供給システムの構成を示す図である。
【図７】図７は、従来の電力供給システムの一構成例を示す図である。
【発明を実施するための形態】
【００１６】
以下、本発明の実施の形態について図面を参照して説明する。
［第１の実施の形態］
図１乃至図３は、いずれも本発明の第１の実施の形態に係る電力供給システムの構成を示す図であり、図１は太陽光発電時、図２はパススルー時、図３はハングアップ時の状態を示している。
【００１７】
［電力供給システムの構成］
本発明の第１の実施の形態に係る電力供給システムは、ＰＣＳ１０と、このＰＣＳ１０がハングアップしたことを検出する検出回路５０と、この検出回路５０が、ＰＣＳ１０がハングアップしたことを検出すると、負荷に前記商用電源４０を接続する出力回路６０とを備えている。
【００１８】
このＰＣＳ１０は、太陽光パネル２０−１、２０−２に接続される太陽光パネル接続端子１０２−１、１０２−２と、蓄電池３０に接続される蓄電池接続端子１０３と、商用電源４０に接続される商用電源入力端子１０４と、負荷に交流電力を供給するための交流電力出力端子１０５と、太陽光パネル接続端子１０２−１、１０２−２に接続された太陽光パネル２０−１、２０−２が出力する電圧と電流を制御する充放電コントローラ１０６−１、１０６−２と、充放電コントローラ１０６−１、１０６−２から出力される直流電流のレベルを変換して蓄電池接続端子１０３を介して蓄電池３０に供給するとともに、蓄電池３０から供給される直流電流のレベルを変換して出力する双方向ＤＣ／ＤＣコンバータ１０７と、充放電コントローラ１０６−１、１０６−２および双方向ＤＣ／ＤＣコンバータ１０７からの直流電流を交流電流に変換して交流電力出力端子１０５に供給するとともに、商用電源４０から供給される交流電流を直流電流に変換して双方向ＤＣ／ＤＣコンバータ１０７に供給するインバータ／コンバータ１０８と、商用電源入力端子１０４と交流電力出力端子１０５との間に設けられたスイッチ１０９と、充放電コントローラ１０６−１、１０６−２の出力および双方向ＤＣ／ＤＣコンバータ１０７の出力の状態に基づいてスイッチ１０９をオン／オフして、選択的に交流電力出力端子１０５に商用電源を供給する制御モジュール１０１とを備えている。
【００１９】
ここで、制御モジュール１０１は、サンプリング回路１１０を介して、充放電コントローラ１０６−１、１０６−２、蓄電池３０の電圧、および商用電源４０の電圧を監視するとともに、交流電力出力端子１０５から出力される出力電流ａ、インバータ１０８ｉによってＤＣ／ＡＣ変換された交流電流ｂ、およびインバータ１０８ｉの出力電圧ｃの状態に応じて、充放電コントローラ１０６−１、１０６−２、双方向ＤＣ／ＤＣコンバータ１０７、およびスイッチ１０９を制御する。
【００２０】
例えば、太陽光パネル２０−１、２０−２が太陽光発電を行って十分な電力を供給できているときには、制御モジュール１０１は、スイッチ１０９をオフにして、充放電コントローラ１０６−１、１０６−２から供給される直流電流をインバータ１０８ｉによって交流電流に変換し、交流電力出力端子１０５を介して負荷に供給する。このとき余剰電力があれば、双方向ＤＣ／ＤＣコンバータ１０７を介して蓄電池３０を充電する。夜間や悪天候の時など、太陽光パネル２０−１、２０−２によって十分な発電ができなくても、蓄電池３０から供給される直流電力を双方向ＤＣ／ＤＣコンバータ１０７およびインバータ１０８ｉを介して交流に変換して負荷に供給することができる。
【００２１】
また、夜間や悪天候の時など、太陽光パネル２０−１、２０−２によって十分な発電ができず、また、蓄電池３０からも十分な電力を供給できない場合には、図２に示すように、制御モジュール１０１は、スイッチ１０９をオンにして、商用電源４０を負荷に供給する。
【００２２】
一方、本実施の形態においては、検出回路５０は、例えば、ＰＣＳ１０の交流電力出力端子１０５の端子間電圧を監視して、電圧が設定値以下になったとき動作する継電器（ＵＶＲ：不足電圧継電器）である。また、出力回路６０は、商用電源４０と負荷側、すなわちトランス６０２の二次側巻き線との間のバイパス線に設けられたリレー６０１を含む。
不足電圧継電器（検出回路５０）が、ＰＣＳ１０の交流電力出力端子１０５の端子間電圧が設定値以下になったことを検出すると、ＰＣＳ１０がハングアップしたとみなして、リレー６０１をオンにして、負荷に商用電源４０を接続する。また、出力回路６０は、ＰＣＳ１０の交流電力出力端子１０５とトランス６０２の一次側巻き線との間に設けられ、不足電圧継電器（検出回路５０）が、ＰＣＳ１０の交流電力出力端子１０５の端子間電圧が設定値以下になったことを検出するとオフするスイッチ６０３を含む。
【００２３】
［電力供給システムの動作］
＜太陽光発電時：図１＞
本実施の形態に係る電力供給システムは、太陽光パネル２０−１、２０−２による太陽光発電によって負荷の消費電力を賄える場合は、図１に示すように、スイッチ１０９をオフにして商用電源４０から負荷を切り離し、太陽光パネル２０−１、２０−２で発電した電力をインバータ１０８ｉによって交流に変換して、トランス６０２を介して負荷に供給する。このとき余剰電力があれば、双方向ＤＣ／ＤＣコンバータ１０７を介して蓄電池３０を充電する。
また、夜間や悪天候の時など、太陽光パネル２０−１、２０−２によって十分な発電ができない場合でも、蓄電池３０が十分に充電されている場合には、ＤＣ／ＤＣコンバータ１０７を介して蓄電池３０から供給される直流電力をＤＣ／ＤＣコンバータ１０７およびインバータ１０８ｉを介して交流に変換して負荷に供給する。
【００２４】
＜パススルー時：図２＞
一方、夜間や悪天候の時など、太陽光パネル２０−１、２０−２によって十分な発電ができず、かつ、蓄電池３０が十分に充電されていない場合には、図２に示すように、スイッチ１０９をオンにして、商用電源４０から負荷に電力を供給する。このようにＰＳＣ１０を介して負荷に商用電源４０を供給することは「パススルー」と呼ばれる。
このとき、商用電源４０から供給される電力をコンバータ１０８ｃおよび双方向ＤＣ／ＤＣコンバータ１０７を介して蓄電池３０を充電するようにしてもよい。
【００２５】
＜ハングアップ時：図３＞
制御モジュール１０１の故障など、ＰＣＳ１０に何らかのトラブルが発生し、ＰＣＳ１０がハングアップして電力供給に関わる制御ができなくなると、負荷に電力を供給できなくなり、交流電力出力端子１０５の端子間電圧が低下する。すると、不足電圧継電器（検出回路５０）がＰＣＳ１０の交流電力出力端子１０５の端子間電圧が設定値以下になったことを検出して、図３に示すように、リレー６０１をオンにして、負荷に商用電源４０を供給する。このとき、出力回路６０のスイッチ６０３は、リレー６０１がオンすると同時にオフとなり、トランス６０２からの回り込み電圧によってＰＣＳ１０の交流電力出力端子１０５の端子間電圧が通常のレベルに戻ってしまうことを防止する。
したがって、昼夜を問わず、ＰＣＳ１０がハングアップした際には人の手を介さずに自動的に商用電源への切り替えが行われ、負荷に商用電源４０を供給することができき、ＰＣＳがハングアップした場合に負荷に電力を供給できなくなる事態を回避することができる。  
【００２６】
［変形例］
上述した第１の実施の形態においては、ＰＣＳ１０がハングアップしたことを検出する検出回路として不足電圧継電器（検出回路５０）を用い、ＰＣＳ１０の交流電力出力端子１０５の端子間電圧を監視し、交流出力電圧が所定の値を下回ったことを検出すると、ＰＣＳ１０がハングアップしたものと見なしてリレー６０１をオンさせるように構成した。
これに対し、図４に示すように、ＰＣＳ１００がＤＣ出力端子１１１を備えている場合には、交流電力出力端子１０５の端子間電圧を監視する代わりに、このＤＣ出力端子１１１から出力される直流電圧のレベルを検出回路５００で監視するようにしてもよい。
【００２７】
このような構成を有する電力供給システムにおいては、検出回路５００は、ＤＣ出力端子から出力される直流電圧のレベルが所定の値を上回っているときは、リレー６０１をオフ状態としているが、ＤＣ出力端子から出力される直流電圧のレベルが所定の値を下回ったときに、ＰＣＳ１００がハングアップしたと見なして、リレー６０１をオンさせ、商用電源４０を負荷に供給する。
【００２８】
これによって、ＰＣＳ１００がハングアップした場合でも、ユーザー等の操作を必要とせずに、商用電源４０の電力を負荷に供給することができ、負荷に電力を供給できなくなる事態を回避することができる。
【００２９】
［第２の実施の形態］
次に本発明の第２の実施の形態について図５を参照して説明する。なお、上述した第１の実施の形態と同一の構成要素については同一の符号を付し、その説明を省略する。
【００３０】
本発明の第２の実施の形態に係る電力供給システムは、充放電コントローラ１０６−１、１０６−２や双方向ＤＣ／ＤＣコンバータ１０７より供給される直流電流を交流電流に変換する２つのインバータ１０８ｉ−１、１０８ｉ−２を備え、これらのインバータ１０８ｉ−１、１０８ｉ−２は互いに直列に接続されている。ここで直列に接続されたインバータ１０８ｉ−１、１０８ｉ−２の接続点を負荷に供給する交流電力の中点（Ｎ）とする。このときリレー６０１の出力側を負荷の分電盤等に接続するようにすればよい。
【００３１】
例えば、一般的な低圧売電用パワコン（出力１０ｋＷ以下）は、ＡＣ出力値２００Ｖ−２０２Ｖで商用電源（電力会社電力線）に出力をする。上述した第１の実施の形態においては、中点を出すために、トランス６０２を用い、Ｖ０−Ｎ−Ｖ１のＶ０−Ｎ間が１００Ｖ、Ｎ−Ｖ１間が１００Ｖを実現した。これに対し、第２の実施の形態においては、インバータ（ＤＣ／ＡＣ）１０８ｉ−１、１０８ｉ−２をＤＣ−ＡＣ１００Ｖ、ＤＣ−ＡＣ１００Ｖで直列に接続すれば、Ｖ０−Ｎ−Ｖ１の１００Ｖ、１００Ｖの中点ができるので、トランスを使用しなくても済む。
【００３２】
［第３の実施の形態］
次に本発明の第３の実施の形態について図６を参照して説明する。なお、上述した第１の実施の形態と同一の構成要素については同一の符号を付し、その説明を省略する。
【００３３】
第３の実施の形態に係る電力供給システムは、図６に示すように、ＰＣＳ３００と、このＰＣＳ３００がハングアップしたことを検出する検出回路５０ａと、この検出回路５０が、ＰＣＳ３００がハングアップしたことを検出すると、負荷に前記商用電源４０を接続する出力回路６０とを備えている。
【００３４】
上述した第１の実施の形態においては、ＰＣＳ１０は、パススルー時（図２を参照。）には、スイッチ１０９を介して、商用電源接続端子１０４に供給される商用電源４０を交流電力出力端子１０５から負荷に供給することができた。これに対し、第３の実施の形態においては、ＰＣＳ３００は、バッテリー３０をチャージするためのみに商用電源４０を使用し、いわゆるパススルーは行わない。したがって、ＰＣＳ３００は、第１の実施の形態においてＰＣＳ１０が有していたスイッチ１０９に相当する構成を有していない。また、商用電源４０は、ＰＣＳ３００がハングアップしたときに加え、商用電源４０を用いてバッテリー３０をチャージしている時にも、ＰＣＳ３００とは別に設けられたバイパス線と出力回路６０とを介して負荷に供給される。
【００３５】
第３の実施の形態に係る電力供給システムにおいても、第１の実施の形態に係る電力供給システムと同様に、検出回路５０ａが、ＰＣＳ３００の交流電力出力端子１０５の端子間電圧を監視し、交流電力出力端子１０５の端子間電圧が設定値以下になったことを検出すると、ＰＣＳ３００がハングアップしたとみなして、リレー６０１をオンにして、負荷に商用電源４０を接続する。
【００３６】
一方、検出回路５０ａは、ＰＣＳ３００のＤＣ出力端子１１１の出力も監視しており、ＰＣＳ３００に異常がなくても、バッテリーチャージ時、すなわち、ＰＣＳ３００が商用電源４０を用いてバッテリー３０を充電するときには、ＤＣ出力端子１１１からの信号に応じて出力回路６０のリレー６０１をオンにして、ハングアップ時と同様に、商用電源４０と負荷側、すなわちトランス６０２の二次側巻き線との間のバイパス線を通じて商用電源４０から負荷に電力を供給する。
【００３７】
このような構成は、ＰＣＳ３００の容量が小さく、パススルーに対応できない場合に有効である。
【符号の説明】
【００３８】
１０、１００、２００、３００…パワーコンディショナ（ＰＣＳ）、１０１…制御モジュール、１０２−１、１０２−２…太陽光パネル接続端子、１０３…蓄電池接続端子、１０４…商用電源接続端子、１０５…交流電力出力端子、１０６−１、１０６−２…充放電コントローラ、１０７…双方向ＤＣ／ＤＣコンバータ、１０８…インバータ／コンバータ、１０８ｉ、１０８ｉ−２、１０８ｉ−２…インバータ、１０８ｃ…コンバータ、１０９…スイッチ、１１０…サンプリング回路、１１１…ＤＣ出力端子、２０−１、２０−２…太陽光パネル、３０…蓄電池、４０…商用電源、５０、５００、５０ａ…検出回路、６０、６００…出力回路、６０１…リレー、６０２…トランス、６０３…スイッチ。
【図１】
2019205309.tif 000003
【図２】
2019205309.tif 000004
【図３】
2019205309.tif 000005
【図４】
2019205309.tif 000006
【図５】
2019205309.tif 000007
【図６】
2019205309.tif 000008
【図７】
2019205309.tif 000009